(57)【要約】      （修正有）【課題】壁パネルと床または天井からなる固定対象との間に配設される比較的に薄型のフレームを強固に固定可能でありながらも、止具の治具の操作性を向上し得るフレーム固定具、及びこのフレーム固定具を用いた壁パネルの端部固定構造を提供する。【解決手段】コンクリート構造の壁面２に沿うように配設される壁パネル２５と床または天井からなる固定対象３との間に配設されるフレーム２１を固定するフレーム固定具１であって、フレームと固定対象との間に配設され、固定対象に固定される固定片１０と、固定片に連なるように設けられ、フレームの厚さ方向室内面側に固定されるフレーム固定片１４と、を備え、フレーム固定片のフレーム長手方向に沿う方向の少なくとも一方側に、固定片を固定対象に固定する止具６の治具を受け入れ可能とする空間を設けている。【選択図】図１
2014055426.tif 000002
【特許請求の範囲】
【請求項１】
コンクリート構造の壁面に沿うように配設される壁パネルと床または天井からなる固定対象との間に配設されるフレームを固定するフレーム固定具であって、
前記フレームと前記固定対象との間に配設され、前記固定対象に固定される固定片と、該固定片に連なるように設けられ、前記フレームの厚さ方向室内面側に固定されるフレーム固定片と、を備え、
該フレーム固定片のフレーム長手方向に沿う方向の少なくとも一方側に、前記固定片を前記固定対象に固定する止具の治具を受け入れ可能とする空間を設けたことを特徴とするフレーム固定具。
【請求項２】
請求項１において、
前記固定片に、該固定片を止具によって前記固定対象に固定した状態で、前記止具の頭部よりも突出し、その先端面が前記フレームに当接される突出片を設けていることを特徴とするフレーム固定具。
【請求項３】
請求項１または２において、
前記固定片のフレーム長手方向に沿う方向の両側に止具孔をそれぞれ設け、これら止具孔の間に前記フレーム固定片を設けたことを特徴とするフレーム固定具。
【請求項４】
請求項１乃至３のいずれか１項に記載のフレーム固定具の固定片をコンクリート構造の壁面に沿わせて固定対象としての床に固定し、該フレーム固定具のフレーム固定片をフレームに固定し、該フレームの上方側に前記壁面に沿わせて壁パネルを配設し、これらフレーム固定具、フレーム及び壁パネル下端の前面側を覆うように巾木を前記フレームに固定する構造としたことを特徴とする壁パネル下端固定構造。
【請求項５】
請求項１乃至３のいずれか１項に記載のフレーム固定具の固定片をコンクリート構造の壁面に沿わせて固定対象としての天井に固定し、該フレーム固定具のフレーム固定片をフレームに固定し、該フレームの下方側に前記壁面に沿わせて壁パネルを配設し、これらフレーム固定具、フレーム及び壁パネル上端の前面側を覆うように廻縁を前記フレームに固定する構造としたことを特徴とする壁パネル上端固定構造。
【発明の詳細な説明】
【技術分野】
【０００１】
本発明は、コンクリート構造の壁面に沿うように配設される壁パネルと床または天井からなる固定対象との間に配設されるフレームを固定するフレーム固定具及びこれを用いた壁パネルの端部固定構造に関する。
【背景技術】
【０００２】
従来より、壁下地や既存の壁体の壁面に対して、新設や、さらには断熱性や遮音性等の機能を付与するために、壁パネルを配設することが行われている。このような壁パネルを、コンクリート構造の壁面に、ねじ等を用いて固定する場合には、壁面にねじ等の取付穴が生じることとなる。そのため、建物によっては管理組合や家主に許可を得る必要が生じたり、また、壁パネルを取り外し、壁面をコンクリート仕上げ面（直壁）に戻したいような場合には、大掛かりな補修を行う必要が生じることも考えられる。また、コンクリート構造の壁専用のねじ等の止具を用いる必要が生じることも考えられる。そこで、ねじ等を用いずに接着剤や両面テープ等を用いて壁パネルをコンクリート構造の壁面に固定することも考えられるが、施工精度のばらつきや、壁面に生じた不陸等によって、コンクリート構造の壁面に対して壁パネルを安定的かつ強固に固定し難いことも考えられた。
【０００３】
例えば、下記特許文献１では、コンクリート壁に内壁パネルを取り付ける構造が提案されている。この取り付け構造では、床面及び天井のそれぞれに長尺で溝型のパネル保持材を配置固定し、下内壁パネル及び上内壁パネルをこれらのパネル保持材に垂直に配置し、コンクリート壁に内壁パネルを並列配置するようにした構造とされている。また、この内壁パネルの取り付け構造では、床面及び天井に配置固定されたパネル保持材の開放部に、それぞれ下内壁パネルの下端部及び上内壁パネルの上端部を嵌め込ませ、床面には幅木を、天井面には廻り縁をねじ込んで内壁を構成する構造とされている。
【先行技術文献】
【特許文献】
【０００４】
【特許文献１】特開２００４−２７８１３２号公報
【発明の概要】
【発明が解決しようとする課題】
【０００５】
ところで、コンクリート構造の壁面に沿わせて壁パネルを配設する場合には、室内空間を有効利用する観点等から薄型の壁パネルが望まれ、これに伴い壁パネルの上端側及び下端側に配設される上記のようなパネル保持材も薄型のものが望まれる。
しかしながら、このような薄型のパネル保持材を、コンクリート構造の壁面に沿わせて止具によって床や天井に固定する場合には、壁際での作業となるため、止具の治具が壁等に干渉し、止具を床や天井に対してねじ込み（打ち込み）難くなることが考えられ、更なる改善が望まれる。
【０００６】
本発明は、上記実情に鑑みてなされたものであり、壁パネルと床または天井からなる固定対象との間に配設される比較的に薄型のフレームを強固に固定可能でありながらも、止具の治具の操作性を向上し得るフレーム固定具、及びこのフレーム固定具を用いた壁パネルの端部固定構造を提供することを目的とする。
【課題を解決するための手段】
【０００７】
上記目的を達成するために、本発明に係るフレーム固定具は、コンクリート構造の壁面に沿うように配設される壁パネルと床または天井からなる固定対象との間に配設されるフレームを固定するフレーム固定具であって、前記フレームと前記固定対象との間に配設され、前記固定対象に固定される固定片と、該固定片に連なるように設けられ、前記フレームの厚さ方向室内面側に固定されるフレーム固定片と、を備え、該フレーム固定片のフレーム長手方向に沿う方向の少なくとも一方側に、前記固定片を前記固定対象に固定する止具の治具を受け入れ可能とする空間を設けたことを特徴とする。
【０００８】
本発明においては、前記固定片に、該固定片を止具によって前記固定対象に固定した状態で、前記止具の頭部よりも突出し、その先端面が前記フレームに当接される突出片を設けてもよい。
また、本発明においては、前記固定片のフレーム長手方向に沿う方向の両側に止具孔をそれぞれ設け、これら止具孔の間に前記フレーム固定片を設けてもよい。
【０００９】
また、上記目的を達成するために、本発明に係る壁パネル下端固定構造は、本発明に係るフレーム固定具の固定片をコンクリート構造の壁面に沿わせて固定対象としての床に固定し、該フレーム固定具のフレーム固定片をフレームに固定し、該フレームの上方側に前記壁面に沿わせて壁パネルを配設し、これらフレーム固定具、フレーム及び壁パネル下端の前面側を覆うように巾木を前記フレームに固定する構造としたことを特徴とする。
【００１０】
また、上記目的を達成するために、本発明に係る壁パネル上端固定構造は、本発明に係るフレーム固定具の固定片をコンクリート構造の壁面に沿わせて固定対象としての天井に固定し、該フレーム固定具のフレーム固定片をフレームに固定し、該フレームの下方側に前記壁面に沿わせて壁パネルを配設し、これらフレーム固定具、フレーム及び壁パネル上端の前面側を覆うように廻縁を前記フレームに固定する構造としたことを特徴とする。
【発明の効果】
【００１１】
本発明に係るフレーム固定具及びこのフレーム固定具を用いた壁パネルの端部固定構造は、上述のような構成としたことで、壁パネルと床または天井からなる固定対象との間に配設される比較的に薄型のフレームを強固に固定可能でありながらも、止具の治具の操作性を向上させることができる。
【図面の簡単な説明】
【００１２】
【図１】本発明の一実施形態に係るフレーム固定具及び同フレーム固定具を用いた壁パネルの端部固定構造の一例を模式的に示す一部破断概略縦断面図である。
【図２】（ａ）〜（ｃ）は、いずれも同フレーム固定具の一例を模式的に示し、（ａ）は、概略斜視図、（ｂ）は、概略平面図、（ｃ）は、概略正面図である。
【図３】同壁パネルの端部固定構造の一例を模式的に示す一部を省略した概略分解斜視図である。
【図４】同壁パネルの端部固定構造を用いた壁パネルの固定構造の一変形例を模式的に示す一部破断概略縦断面図である。
【図５】同変形例を模式的に示し、一部を省略した概略斜視図である。
【図６】同壁パネルの端部固定構造を用いた壁パネルの固定構造の他の変形例を模式的に示す一部破断概略縦断面図である。
【発明を実施するための形態】
【００１３】
以下に本発明の実施の形態について、図面に基づいて説明する。
なお、一部の図では、他図に付している詳細な符号の一部を省略している。
また、以下の実施形態では、フレーム固定具や壁パネル等を施工した状態において、当該壁パネルに対面した状態を基準として、手前側を前方側とし、前後方向や上下方向等の方向を説明する。
【００１４】
図１〜図６は、本実施形態に係るフレーム固定具及びこれを用いた壁パネルの端部固定構造の一例を模式的に示す図である。
本実施形態に係るフレーム固定具１は、図１に示すように、コンクリート構造の壁面２に沿うように配設される壁パネル２５と床４または天井５からなる固定対象３との間に配設されるフレーム２１を固定するものとされている。
コンクリート構造の壁面２としては、建物内空間の壁面２としてもよく、一般的な鉄筋コンクリート構造の壁体の直壁（コンクリート仕上げ面）としてもよい。または、コンクリート構造の壁体の室内面にクロス（壁紙）等が貼着されている場合には、クロス等を剥がした壁面等としてもよい。
【００１５】
壁パネル２５は、図１及び図３に示すように、略矩形平板状とされている。壁パネル２５は、床４及び天井５に後記するフレーム固定具１を介して固定されるフレーム２１，２１間に配設される。
壁パネル２５は、複数枚を横並びに隣接させて、コンクリート構造の壁面２を略覆うように、壁面２の幅方向（左右方向）の略全長に亘って配設される。また、これら複数枚の壁パネル２５は、互いに略同幅寸法とされている。また、コンクリート構造の壁面２の幅寸法に応じて、例えば、複数枚の壁パネル２５のうちの一枚の幅寸法を他の壁パネル２５の幅寸法と異ならせたものとしてもよい。
【００１６】
また、壁パネル２５の上下寸法は、床４に固定されるフレーム２１から、天井５に固定されるフレーム２１までの上下寸法に応じた寸法とされている。
図例では、壁パネル２５を、その下端２６を床４側のフレーム２１上に載置させるように、かつ、その上端２７の端面を、天井５側のフレーム２１の下側面に対面させるように、コンクリート構造の壁面２に沿わせて配設した例を示している。
この壁パネル２５は、比較的に薄型とされている。この壁パネル２５の厚さ寸法は、室内空間を有効利用する観点等から適宜設定するようにしてもよく、例えば、１０ｍｍ〜３０ｍｍ程度としてもよい。
また、壁パネル２５は、断熱性や不燃性、調湿性、抗菌性等の種々の機能を有した機能壁性パネルとしてもよい。
【００１７】
フレーム２１は、図１及び図３に示すように、フレーム長手方向（壁パネル２５の幅方向）に見て（側面視して）略矩形状とされており、比較的に長尺の略角柱状体とされている。本実施形態では、フレーム２１を、側面視して上下方向に長尺な略長方形状としている。
このフレーム２１は、コンクリート構造の壁面２の幅方向の略全長に亘って配設される。
【００１８】
また、フレーム２１の前面（室内側に向く面）側には、後記するフレーム固定具１のフレーム固定片１４を受け入れる切欠状の凹段部２２を設けられている。
この凹段部２２は、フレーム２１の前方側かつフレーム２１の固定対象３側に向けて開口するように、フレーム長手方向の全長に亘って切り欠くように設けられている。
つまり、床４に固定される床４側のフレーム２１は、その下方側（床４側）に、凹段部２２が位置するように配設される。また、天井５に固定される天井５側のフレーム２１は、その上方側（天井５側）に、凹段部２２が位置するように配設される。
これら床４側のフレーム２１及び天井５側のフレーム２１は、互いに略同寸同形状とされており、互いの上下を反転させたようにそれぞれ配設される。
【００１９】
また、フレーム２１は、固定対象側部位２３と、この固定対象側部位２３の壁パネル２５側に連なるパネル側部位２４と、を有している。
本実施形態では、この固定対象側部位２３の前面側に、凹段部２２を設けている。
パネル側部位２４の厚さ寸法（壁面２に垂直な方向に沿う寸法）は、壁パネル２５の厚さ寸法に応じた寸法とされている。本実施形態では、パネル側部位２４の厚さ寸法を、壁パネル２５の厚さ寸法と略同寸法としている（図１参照）。
これにより、コンクリート構造の壁面２に沿わせて、床４側及び天井５側のフレーム２１，２１を配設し、これらの間に壁パネル２５を配設した状態では、壁パネル２５の下端２６の前面２６ａ及び上端２７の前面２７ａと、これらフレーム２１，２１のパネル側部位２４，２４の前面と、がそれぞれ略同一平面状となる。
【００２０】
なお、フレーム２１は、その長さ寸法がコンクリート構造の壁面２の幅方向の略全長に亘る長さ寸法とされたものとしてもよい。または、コンクリート構造の壁面２の幅方向の略全長に亘る長さ寸法よりも短い寸法とされた複数本のフレーム２１を、長手方向に接続するように配設するようにしてもよい。
また、本実施形態では、フレーム２１の固定対象側部位２３の前面側に全長に亘って凹段部２２を設けた例を示しているが、この態様に限定されない。例えば、フレーム２１の固定対象側部位２３の前面側に、後記するフレーム固定具１に応じて、フレーム長手方向に沿って間隔を空けて複数の凹段部２２を設けるようにしてもよい。
また、フレーム２１は、木質系材料や合成樹脂系材料、金属系材料等から形成されたものとしてもよい。
【００２１】
フレーム固定具１は、図１及び図２に示すように、フレーム２１と固定対象３との間に配設され、固定対象３に固定される固定片１０と、この固定片１０に連なるように設けられ、フレーム２１の厚さ方向室内面側に固定されるフレーム固定片１４と、を備えている。
本実施形態では、フレーム固定片１４を、フレーム２１の凹段部２２の室内側に向く面（固定対象側部位２３の前面）側に固定されるものとしている。
フレーム固定具１は、図１に示すように、固定片１０とフレーム固定片１４とによって、側面視して略Ｌ字状に形成されている。
また、フレーム固定具１は、図２に示すように、フレーム固定片１４のフレーム長手方向（パネル幅方向）に沿う方向の少なくとも一方側に、固定片１０を固定対象３に固定するねじや釘等の止具６の治具３８を受け入れ可能とする空間（治具受入空間）１６を設けている。
本実施形態では、フレーム固定具１のフレーム固定片１４のフレーム長手方向に沿う方向の両側に、治具受入空間１６，１６を設けている。
また、本実施形態では、フレーム固定具１は、固定片１０のフレーム長手方向の略中央部にフレーム固定片１４を設けている。
【００２２】
固定片１０は、図２に示すように、略矩形の薄平板状とされており、その厚さ方向を上下方向に沿わせて配設される。この固定片１０は、フレーム長手方向に沿う方向に長い平面視略長方形状とされている。
また、本実施形態では、図２に示すように、固定片１０の長手方向両側に止具孔１１，１１を設けている。これら止具孔１１，１１は、固定片１０を固定対象３に固定するための止具６，６が挿通可能とされている。
これら止具孔１１，１１は、それぞれ固定片１０の厚さ方向に貫通するように形成されている。また、これら止具孔１１，１１は、固定片１０の前後方向略中央部よりもやや前方側にそれぞれ設けられている。また、これら止具孔１１，１１は、それぞれの孔中心が、固定片１０の前後方向（パネル厚さ方向に沿う方向）において略一致するように設けられている。
【００２３】
また、本実施形態では、図１及び図２に示すように、固定片１０に、固定片１０を止具６によって固定対象３に固定した状態で、止具６の頭部よりも突出し、その先端面１３がフレーム２１に当接される突出片１２を設けている。
本実施形態では、固定片１０の長手方向両端部のそれぞれに突出片１２，１２を設けている。これら突出片１２，１２は、固定片１０から反固定対象３側（上下方向に沿う方向）に向けて、固定片１０から突出するようにそれぞれ設けられている。本実施形態では、これら突出片１２，１２の固定片１０からの突出寸法を、互いに略同寸法としている。
また、これら突出片１２，１２の先端面１３，１３は、それぞれ固定片１０の上下方向両側面（固定片１０の厚さ方向両側面）と略平行とされている。
なお、これら突出片１２，１２の突出寸法は、止具６の頭部とフレーム２１とが干渉しないように適宜設定するようにしてもよく、例えば、３ｍｍ〜１０ｍｍ程度としてもよい。
【００２４】
また、固定片１０の長手方向両側に設けられた止具孔１１，１１は、図２（ｂ）、（ｃ）に示すように、当該固定片１０の長手方向における位置が、これら突出片１２，１２と、これら突出片１２，１２の近傍側のフレーム固定片１４のフレーム長手方向に沿う方向の両端縁との略中央部となるようにそれぞれ設けられている。
また、固定片１０の長さ寸法は、フレーム固定具１を固定対象３に対して安定的に固定する観点や、フレーム固定具１の小型化を図る観点、止具孔１１の個数等に応じて、適宜設定するようにしてもよい。例えば、固定片１０の長さ寸法を、２０ｍｍ〜１００ｍｍ程度としてもよい。また、固定片１０の前後寸法は、壁パネル２５の厚さ寸法に応じた寸法としてもよい。本実施形態では、壁パネル２５及び当該フレーム固定具１を壁面２に沿わせるように配設した状態で、固定片１０の前端面が壁パネル２５の前面２６ａ，２７ａから前方側に突出しないように設定している。
【００２５】
この固定片１０は、その後端面（壁面２に向く端面）を、コンクリート構造の壁面２に当接させて、固定対象３に固定するようにしてもよい。この際、フレーム固定片１４のフレーム長手方向に沿う方向の両側の治具受入空間１６，１６に、ドライバーの先端部等の適宜の治具３８を差し込み、治具３８を操作して、固定片１０を止具６によって固定対象３に固定するようにしてもよい（図２（ｂ）参照）。
本実施形態では、図１に示すように、固定片１０の斜め前方側から止具６，６を固定片１０の止具孔１１，１１を介して固定対象３に対してねじ込んで（打ち込んで）、固定対象３に固定した例を示している。
【００２６】
フレーム固定片１４は、本実施形態では、図２に示すように、固定片１０の止具孔１１，１１の間に設けられている。フレーム固定片１４は、その両側に治具受入空間１６，１６を設けるように、固定片１０の前方側縁部から反固定対象３側（上下方向に沿う方向）に向けて突出するように設けられている。
また、フレーム固定片１４は、図２に示すように、略矩形の薄平板状とされており、その厚さ方向をパネル厚さ方向に沿わせて配設される。
また、フレーム固定片１４は、図１に示すように、フレーム固定具１の固定片１０及びフレーム２１を壁面２に当接させた状態で、その後面がフレーム２１の凹段部２２の室内側に向く面に当接され、凹段部２２に受け入れられるように形成されている。
フレーム固定片１４の厚さ寸法（前後寸法）は、フレーム２１の凹段部２２の前後方向の深さ寸法と略同寸法か、それよりも小さい寸法とされている。
本実施形態では、フレーム固定片１４の厚さ寸法を、固定片１０の厚さ寸法（上下寸法）と略同寸法としている。また、本実施形態では、フレーム固定片１４の厚さ寸法を、フレーム２１の凹段部２２の前後深さ寸法と略同寸法としている。これにより、フレーム固定片１４の後面をフレーム２１の凹段部２２の室内側に向く面に当接させた状態では、フレーム固定片１４の前面と、フレーム２１のパネル側部位２４の前面とが略同一平面状となる。
【００２７】
また、本実施形態では、フレーム固定片１４に、図２に示すように、止具孔１５を設けている。この止具孔１５は、フレーム固定片１４をフレーム２１に固定するねじや釘等の止具７が挿通可能な止具孔とされている。
この止具孔１５は、フレーム固定片１４の厚さ方向に貫通するように設けられている。また、本実施形態では、この止具孔１５を、フレーム固定片１４の反固定片１０側端部近傍におけるフレーム固定片１４のフレーム長手方向に沿う方向の略中央部に設けている。
また、本実施形態では、止具孔１５に止具７の頭部を受け入れるざぐりを設けている。図例では、止具孔１５に皿ざぐり状のざぐりを設けた例を示している。このような構成とすることにより、止具孔１５に挿通された止具７の頭部がざぐり内に収容され、止具７の頭部のフレーム固定片１４の前面からの突出量を低減させることができる。
このフレーム固定片１４は、フレーム２１の前方側（厚さ方向室内側）から止具７をねじ込んで（打ち込んで）、フレーム２１の厚さ方向室内面側に固定するようにしてもよい。
【００２８】
なお、このフレーム固定片１４の固定片１０からの突出寸法は、フレーム２１を安定的に固定する観点や、フレーム固定具１の小型化を図る観点等から適宜設定するようにしてもよく、例えば、１５ｍｍ〜４０ｍｍ程度としてもよい。
また、フレーム固定片１４のフレーム長手方向に沿う寸法は、その両側に上記した治具受入空間１６，１６を設けるように、固定片１０のフレーム長手方向に沿う寸法よりも小とされている。図例では、フレーム固定片１４のフレーム長手方向に沿う寸法を、固定片１０のフレーム長手方向に沿う寸法の略１／２程度とした例を示している。このフレーム固定片１４の両側の治具受入空間１６，１６のフレーム長手方向に沿う寸法は、フレーム固定具１の小型化や、治具３８の差し込み性等の観点から適宜の寸法に設定してもよい。例えば、これら治具受入空間１６，１６のフレーム長手方向に沿う寸法を、５ｍｍ〜２０ｍｍ程度としてもよい。
なお、フレーム固定具１は、金属系材料等からなる金属板に折り曲げ等の加工を施して上記形状としたものであってもよい。
また、フレーム固定具１の固定対象３としては、床材や床下地等の床４や、天井材や天井下地等の天井５としてもよい。
【００２９】
上記したフレーム２１のフレーム固定具１への固定態様としては、フレーム２１の固定対象３側の端面を、フレーム固定具１の突出片１２，１２のそれぞれの先端面１３，１３に当接させ、かつ、その後面（壁面２側に向く面）を壁面２に当接させて、フレーム２１をフレーム固定具１に固定するようにしてもよい。また、フレーム２１は、その凹段部２２に、フレーム固定具１のフレーム固定片１４を受け入れた状態で、フレーム固定具１に固定するようにしてもよい。
本実施形態では、図１に示すように、壁面２に対して略垂直方向となるように、フレーム固定片１４の前方側から止具７を、止具孔１５を介してフレーム２１に対してねじ込んで（打ち込んで）、フレーム固定片１４をフレーム２１に固定した例を示している。
なお、フレーム２１の固定対象３への固定態様としては、上記フレーム固定具１に加えて、壁面２に対して接着剤や粘着材等によって固定するようにしてもよい。
【００３０】
次に、上記構成とされたフレーム固定具１を用いた壁パネル端部固定構造としての壁パネル下端固定構造２０について説明する。
本実施形態に係る壁パネル下端固定構造２０は、図１に示すように、フレーム固定具１の固定片１０をコンクリート構造の壁面２に沿わせて床４に固定し、このフレーム固定具１のフレーム固定片１４をフレーム２１に固定した構造とされている。なお、フレーム固定具１は、フレーム２１の長手方向に沿って間隔を空けて複数配設するようにしてもよい。
また、壁パネル下端固定構造２０は、フレーム２１の上方側に壁面２に沿わせて壁パネル２５を配設し、これらフレーム固定具１、フレーム２１及び壁パネル２５の下端２６の前面側を覆うように巾木２８をフレーム２１に固定する構造とされている。
つまり、フレーム固定具１を介して床４に固定されたフレーム２１の上方側に配設された壁パネル２５の下端２６を、フレーム２１に固定された巾木２８と壁面２とで挟み込むように固定した構造とされている。
【００３１】
巾木２８は、図１及び図３に示すように、フレーム長手方向に見て（側面視して）略矩形状とされており、比較的に長尺の略帯板状体とされている。この巾木２８は、壁面２に配設された複数枚の壁パネル２５の幅方向の略全長に亘って配設される。
また、巾木２８は、その壁パネル２５側の面を、フレーム固定片１４の前面、フレーム２１のパネル側部位２４の前面及び壁パネル２５の下端２６の前面２６ａに当接させるように、ねじや釘等の止具８によってフレーム２１に固定される。
また、巾木２８は、フレーム２１の上方側に配設された壁パネル２５の下端２６の前面２６ａを少なくとも覆うように形成されており、壁パネル２５の下端２６の前面２６ａを、壁パネル２５の下端縁から５ｍｍ〜３０ｍｍ程度覆うように形成するようにしてもよい。
また、巾木２８には、その前面の長手方向の略全長に亘って、前方側に向けて開口する溝部２８ａが設けられている。この溝部２８ａは、フレーム２１のパネル側部位２４に対応した箇所に設けられている。
この巾木２８は、前面の溝部２８ａに止具８をねじ込み（打ち込み）、フレーム２１に固定するようにしてもよい。
【００３２】
次に、壁パネル端部固定構造としての壁パネル上端固定構造２０Ａについて説明する。
本実施形態に係る壁パネル上端固定構造２０Ａは、図１に示すように、フレーム固定具１の固定片１０をコンクリート構造の壁面２に沿わせて天井５に固定し、フレーム固定具１のフレーム固定片１４をフレーム２１に固定した構造とされている。なお、フレーム固定具１は、上記同様、フレーム２１の長手方向に沿って間隔を空けて複数配設するようにしてもよい。
また、壁パネル上端固定構造２０Ａは、フレーム２１の下方側に壁面２に沿わせて壁パネル２５を配設し、これらフレーム固定具１、フレーム２１及び壁パネル２５の上端２７の前面側を覆うように廻縁２９をフレーム２１に固定する構造とされている。
つまり、フレーム固定具１を介して天井５に固定されたフレーム２１の下方側に配設された壁パネル２５の上端２７を、フレーム２１に固定された廻縁２９と壁面２とで挟み込むように固定した構造とされている。
【００３３】
廻縁２９は、図１及び図３に示すように、上記した巾木２８を上下反転させたような形状とされており、廻縁２９と巾木２８とは、互いに略同寸同形状とされている。
この廻縁２９は、その壁パネル２５側の面を、フレーム固定片１４の前面、フレーム２１のパネル側部位２４の前面及び壁パネル２５の上端２７の前面２７ａに当接させるように、ねじや釘等の止具８によってフレーム２１に固定される。また、廻縁２９は、前面の溝部２９ａに止具８をねじ込み（打ち込み）、フレーム２１に固定するようにしてもよい。
この廻縁２９は、フレーム２１の下方側に配設された壁パネル２５の上端２７の前面２７ａを少なくとも覆うように形成されており、壁パネル２５の上端２７の前面２７ａを、壁パネル２５の上端縁から５ｍｍ〜３０ｍｍ程度覆うように形成するようにしてもよい。
【００３４】
なお、これら巾木２８や廻縁２９は、その長さ寸法がコンクリート構造の壁面２の幅方向の略全長に亘る長さ寸法とされたものとしてもよい。または、コンクリート構造の壁面２の幅方向の略全長に亘る長さ寸法よりも短い寸法とされたものを複数本設けた構造としてもよい。
また、これら巾木２８や廻縁２９は、木質系材料や合成樹脂系材料、金属系材料等から形成されたものとしてもよい。
【００３５】
次に、フレーム固定具１を用いた壁パネル２５の施工手順の一例について説明する。
まず、図１及び図３に示すように、複数のフレーム固定具１を、コンクリート構造の壁面２に沿わせて互いに間隔を空けて、フレーム固定片１４が上方側に向くように、止具６，６によって床４にそれぞれ固定する。
また、複数のフレーム固定具１を、コンクリート構造の壁面２に沿わせて互いに間隔を空けて、フレーム固定片１４が下方側に向くように、止具６，６によって天井５にそれぞれ固定する。
【００３６】
次いで、床４側のフレーム２１を、その凹段部２２を前方側かつ下方側に位置させて、その凹段部２２に、床４に固定されたフレーム固定具１のフレーム固定片１４を収容させて、止具７によってフレーム固定具１に固定する。
また、天井５側のフレーム２１を、その凹段部２２を前方側かつ上方側に位置させて、その凹段部２２に、天井５に固定されたフレーム固定具１のフレーム固定片１４を収容させて、止具７によってフレーム固定具１に固定する。
また、壁パネル２５を、その下端２６を床４側のフレーム２１上に載置するように、フレーム２１の上方側に壁面２に沿わせて配設する。
この際、壁パネル２５を、接着剤や両面テープ、面ファスナー等によって、コンクリート構造とされた壁面２に固定するようにしてもよい。
【００３７】
また、巾木２８を、床４側のフレーム２１に対して止具８によって固定する。
また、廻縁２９を、天井５側のフレーム２１に対して止具８によって固定する。
また、必要に応じて、クロス（壁紙）等で壁パネル２５等を覆うようにしてもよい。
なお、上記施工手順は一例であり、各部材及び各部の機能を阻害しない限りにおいて、別手順でなされるようにしてもよい。
【００３８】
本実施形態に係るフレーム固定具１及びこのフレーム固定具１を用いた壁パネル２５の端部固定構造２０，２０Ａによれば、壁パネル２５と床４または天井５からなる固定対象３との間に配設される比較的に薄型のフレーム２１を強固に固定可能でありながらも、止具６，７の治具の操作性を向上させることができる。
つまり、上記したように、当該フレーム固定具１は、フレーム２１の厚さ方向室内面側に固定されるフレーム固定片１４のフレーム長手方向に沿う方向の少なくとも一方側に、このフレーム固定片１４に連なるように設けられた固定片１０を固定対象３に固定する止具６の治具３８を受け入れ可能とする空間１６を設けた構造とされている。従って、比較的に薄型のフレーム２１を固定する際における止具６の治具３８の操作性を向上させることができる。つまり、上述のように、フレーム固定片１４の少なくとも一方側の空間１６を介して斜め前方側から治具３８を差し込み、治具３８を操作することができるので、治具３８がフレーム固定片１４や壁面２等に干渉するようなことがなく、固定片１０を固定対象３に固定する際における治具３８の操作性を向上させることができる。また、前方側（厚さ方向室内側）から治具３８を操作してフレーム固定片１４をフレーム２１の厚さ方向室内面側（パネル側部位２４）に固定することができるので、フレーム固定片１４をフレーム２１に固定する際における治具３８の操作性を向上させることができる。つまりは、比較的に薄型のフレーム２１を壁面２に沿わせて固定対象３に直接的に止具によって固定する場合には、治具の操作がし難くなるが、本実施形態によれば、上記のように治具３８の操作性を向上させることができる。
また、上記のように治具３８の操作性が向上するため、フレーム固定具１の固定片１０を固定対象３に、また、フレーム固定片１４をフレーム２１に、確実かつ強固に固定することができ、比較的に薄型のフレーム２１を、当該フレーム固定具１を介して強固に固定対象３に固定することができる。
【００３９】
また、本実施形態では、固定片１０に、固定片１０を止具６によって固定対象３に固定した状態で、止具６の頭部よりも突出し、その先端面１３がフレーム２１に当接される突出片１２を設けている。従って、止具６の頭部がフレーム２１に干渉するようなことがなく、フレーム２１を突出片１２の先端面１３に当接させてフレーム固定具１に安定的に固定することができる。
また、上述のように、止具６をフレーム固定具１の固定片１０に対して斜め打ちして固定片１０を固定対象３に固定するような場合には、固定片１０に止具６の頭部を受け入れるざぐりを固定片１０に設けた場合にも、止具６の頭部が固定片１０から突出することが考えられる。本実施形態によれば、このような場合にも、突出片１２によって固定片１０を固定する止具６の頭部とフレーム２１との干渉を防止することができる。
また、本実施形態では、固定片１０の長手方向両端部のそれぞれに突出片１２，１２を設けている。従って、フレーム２１をこれら両側の突出片１２，１２に当接させて、フレーム固定具１に、より安定的に固定することができる。
【００４０】
また、本実施形態では、固定片１０のフレーム長手方向に沿う方向の両側に止具孔１１，１１をそれぞれ設け、これら止具孔１１，１１の間にフレーム固定片１４を設けている。従って、例えば、固定片１０におけるフレーム固定片１４のフレーム長手方向に沿う方向の一方側にのみ止具孔１１を設けた場合と比べて、より安定的かつ強固にフレーム固定具１の固定片１０を固定対象３に固定することができる。また、例えば、単一の止具孔１１を介して固定片１０を固定した場合にはフレーム固定具１が止具６廻りに回転するようなことも考えられるが、このようなことを防止することができる。
また、このように強固に固定される固定片１０の両側の止具孔１１，１１の間に、フレーム２１の厚さ方向室内面側に固定されるフレーム固定片１４を設けているので、フレーム２１をフレーム固定具１に対してより安定的に固定することができる。
【００４１】
また、本実施形態に係る壁パネル下端固定構造２０は、固定対象３としての床４に固定したフレーム固定具１にフレーム２１を固定し、フレーム２１の上方側に壁面２に沿わせて壁パネル２５を配設し、これらフレーム固定具１、フレーム２１及び壁パネル下端２６の前面２６ａ側を覆うように巾木２８をフレーム２１に固定する構造としている。従って、壁パネル２５の下端２６を巾木２８と壁面２とによって挟むように固定することができる。また、巾木２８を、床４にフレーム固定具１を介して強固に固定されたフレーム２１に対して固定しているので、例えば、巾木２８を壁パネル２５に固定するような場合と比べて、より強固に巾木２８を固定することができる。これにより、壁パネル２５の下端２６を強固に固定することができる。
【００４２】
また、本実施形態に係る壁パネル上端固定構造２０Ａは、固定対象３としての天井５に固定したフレーム固定具１にフレーム２１を固定し、フレーム２１の下方側に壁面２に沿わせて壁パネル２５を配設し、これらフレーム固定具１、フレーム２１及び壁パネル上端２７の前面２７ａ側を覆うように廻縁２９をフレーム２１に固定する構造としている。従って、壁パネル２５の上端２７を廻縁２９と壁面２とによって挟むように固定することができる。また、廻縁２９を、天井５にフレーム固定具１を介して強固に固定されたフレーム２１に対して固定しているので、例えば、廻縁２９を壁パネル２５に固定するような場合と比べて、より強固に廻縁２９を固定することができる。これにより、壁パネル２５の上端２７を強固に固定することができる。
【００４３】
なお、本実施形態では、固定片１０の長手方向両端部に突出片１２，１２を設けた例を示しているが、この態様に限定されない。単一の突出片１２を固定片１０に設けるようにしてもよい。さらには、このような突出片１２，１２を固定片１０に設けずに、フレーム２１を、固定片１０を固定した止具６の頭部に当接または近接させて、フレーム固定片１４に固定するようにしてもよい。この場合は、止具６の頭部を収容するざぐりを、固定片１０に設けるようにしてもよい。
【００４４】
また、本実施形態では、フレーム固定片１４のフレーム長手方向に沿う方向の両側に、固定片１０を固定対象３に固定する止具６，６の治具を受け入れ可能とする空間（治具受入空間）１６，１６を設けた例を示しているが、この態様に限定されない。フレーム固定片１４のフレーム長手方向に沿う方向の少なくとも一方側に、治具受入空間１６を設けるようにしてもよい。例えば、治具受入空間１６を、フレーム固定片のフレーム長手方向に沿う方向の一方側に設けるように、フレーム固定片を固定片のフレーム長手方向に沿う方向の他方側に連なるように設けるようにしてもよい。または、治具受入空間１６を、当該フレーム固定具のフレーム長手方向に沿う方向の略中央部に設けるように、フレーム固定片を固定片のフレーム長手方向に沿う方向の両端側のそれぞれに連なるように設けるようにしてもよい。
また、上記した例では、壁パネル２５の上端２７及び下端２６を、フレーム固定具１，１を用いた壁パネル端部固定構造によって固定した例を示しているが、以下のように、壁パネル２５の下端２６及び上端２７のいずれか一方を、他の固定構造によって固定するようにしてもよい。
【００４５】
図４〜図６では、壁パネルの固定構造の変形例を示しており、壁パネル２５の下端２６を、上記同様の壁パネル下端固定構造２０を用いて固定し、壁パネル２５の上端２７を、他の固定構造を用いて固定した例を示している。
なお、上記した例との相違点について主に説明し、同様の構成については、同一符号を付し、その説明を省略または簡略に説明する。
【００４６】
図４及び図５は、壁パネルの上端の固定構造の他の例を模式的に示している。
本例では、図４及び図５に示すように、固定対象３に固定される造作材固定部材３０とこの造作材固定部材３０に固定される造作材（廻縁または巾木）３４とによって壁パネル２５の上端２７を固定する構造としている。また、本例では、造作材固定部材３０に、壁面２から前方に突出するように形成され、固定対象３に固定される第１固定片部３１と、この第１固定片部３１に連なるように、かつ壁パネル２５側に突出するように形成され、造作材３４が固定される第２固定片部３２と、を設けている。造作材固定部材３０は、これら第１固定片部３１と第２固定片部３２とによってその前面側の壁パネル２５側に、切欠状凹段部３３を設けた構造とされている。また、本例では、造作材３４に、造作材固定部材３０の第２固定片部３２に固定される固定部３５と、この固定部３５に連なるように、かつ壁パネル２５の前面側を覆うように反固定対象３側に向けて突出するように設けられた突出片部３６と、を設けている。本例では、造作材固定部材３０の第１固定片部３１を固定対象３に固定し、この造作材固定部材３０の第２固定片部３２に造作材３４の固定部３５を固定し、壁パネル２５の上端２７を、造作材３４の突出片部３６と壁面２とで挟み込むように固定した構造としている。
【００４７】
造作材固定部材３０は、比較的に長尺状とされており、その切欠状凹段部３３は、当該造作材固定部材３０の長手方向の全長に亘って設けられている。
この造作材固定部材３０は、固定対象３と壁面２との入隅部に沿うように配設され、その第１固定片部３１が止具９によって固定対象３に固定される。
このような構成とされた造作材固定部材３０は、ねじや釘等の止具９を第１固定片部３１と第２固定片部３２との入隅部等に向けて斜め前方側から固定対象３に対してねじ込む（打ち込む）ことで固定対象３に固定するようにしてもよい。
【００４８】
造作材３４は、側面視略矩形状で比較的に長尺状とされている。また、本例では、造作材３４の後面側に、長手方向の全長に亘って、後方側かつ下方側に向けて開口するように凹部を設けている。
また、この造作材３４の固定部３５と突出片部３６とは、それぞれの前面が同一平面状となるように形成されている。
【００４９】
また、造作材３４の固定部３５は、造作材固定部材３０の切欠状凹段部３３に収容され、造作材固定部材３０の第２固定片部３２にねじや釘等の止具８によって固定される。
固定部３５の厚さ寸法（前後寸法）は、造作材固定部材３０の切欠状凹段部３３の前後寸法と略同寸法とされている。これにより、造作材３４の固定部３５を造作材固定部材３０の切欠状凹段部３３に収容させ、造作材固定部材３０に固定した状態では、造作材３４（固定部３５及び突出片部３６）の前面と、造作材固定部材３０の第１固定片部３１の前面とが略面一となる。
また、固定部３５の上下寸法は、造作材固定部材３０の切欠状凹段部３３の上下方向に沿う寸法と略同寸法とされている。これにより、造作材３４の固定部３５を造作材固定部材３０の切欠状凹段部３３に収容させ、造作材固定部材３０に固定した状態では、固定部３５の壁パネル２５側の面（凹部の壁パネル２５側を向く面）と、造作材固定部材３０の第２固定片部３２の壁パネル２５側の面とが略面一となる。
【００５０】
突出片部３６の厚さ寸法は、固定部３５の厚さ寸法よりも小とされており、一般的な廻縁や巾木の厚さ寸法と略同寸法としてもよい。また、この突出片部３６の上下寸法は、壁パネル２５の上端２７の前面２７ａを少なくとも覆う寸法とすればよく、壁パネル２５の上端２７の前面２７ａを、壁パネル２５の上端縁から５ｍｍ〜３０ｍｍ程度覆う寸法としてもよい。
また、突出片部３６は、造作材３４の固定部３５を造作材固定部材３０の切欠状凹段部３３に収容させ、造作材固定部材３０に固定した状態で、その後面（凹部の壁面２側を向く面）と造作材固定部材３０の後面（壁面２側を向く面）との間の寸法が、壁パネル２５の厚さ寸法と略同寸法となるように形成されている。
【００５１】
本例の壁パネルの上端の固定構造は、上記のように、造作材固定部材３０の第１固定片部３１を固定対象３に固定し、その第２固定片部３２に、造作材３４の突出片部３６でコンクリート構造の壁面２に沿わせて配設された壁パネル２５の上端２７を覆うように、造作材３４の固定部３５を固定する構造とされている。従って、上記と概ね同様、壁パネル２５の上端２７を造作材３４と壁面２とによって挟むように固定することができる。また、造作材固定部材３０の第１固定片部３１を固定対象３に固定することができるので、造作材固定部材３０を固定対象３に強固に固定することができる。つまり、例えば、側面視略矩形状の造作材固定部材や、前面側に造作材を一体的に設けた造作材固定部材等を固定対象３に固定する場合には、止具を打ち込み難く、これらを固定対象３に固定し難いことが考えられる。上記のような第１固定片部３１を造作材固定部材３０に設けることで、造作材固定部材３０を固定対象３に強固に固定することができる。また、造作材３４を、固定対象３に強固に固定された造作材固定部材３０に対して固定しているので、例えば、造作材３４を壁パネル２５に固定するような場合と比べて、より強固に造作材３４を固定することができる。これにより、壁パネル２５の上端２７を強固に固定することができる。
また、上記のような構成により、突出片部３６の厚さ寸法を比較的に小さくしながらも、固定部３５が収容される造作材固定部材３０の切欠状凹段部３３の前後寸法を比較的に大きく確保することができ、造作材固定部材３０の第１固定片部３１の固定対象３への止具９による固定代を比較的に大きく確保することができる。
なお、造作材固定部材３０及び造作材３４の前面に、クロス（壁紙）等を貼着するようにしてもよい。この場合、固定対象３（天井５）及び壁パネル２５の両方または一方の前面に、これら造作材固定部材３０及び造作材３４の前面のクロス（壁紙）と一連状にクロス（壁紙）等を貼着するようにしてもよい。
【００５２】
図６は、壁パネルの上端の固定構造のさらに他の例を模式的に示している。
本例では、図６に示すように、固定対象３に固定される廻縁３７に、固定対象３に固定される固定片部と、該固定片部に連なり反固定対象３側に向けて突出するように設けられたパネル側片部と、を設けている。この廻縁３７の固定片部を固定対象３に固定し、パネル側片部でコンクリート構造の壁面２に沿わせて配設された壁パネル２５の上端２７を覆うように、壁パネル２５の上端２７を固定する構造とされている。
【００５３】
この廻縁３７は、比較的に長尺状とされている。
この廻縁３７は、ねじや釘等の止具９を固定片部とパネル側片部との入隅部等に向けて斜め前方側から固定対象３に対してねじ込む（打ち込む）ことで固定対象３に固定するようにしてもよい。
本例の壁パネルの上端の固定構造によっても、壁パネル２５の上端２７を廻縁３７のパネル側片部と壁面２とによって挟むように固定することができる。
なお、上記各例では、壁パネル２５の上端２７を、上記各例に係る壁パネルの上端の固定構造によって固定した例を示したが、この態様に限定されない。壁パネル２５の下端２６を、上記各例に係る壁パネルの上端の固定構造と略同様にして固定してもよい。この場合は、壁パネル２５の上端２７を、上記した本実施形態に係る壁パネル上端固定構造２０Ａによって固定するようにしてもよい。
【符号の説明】
【００５４】
１                フレーム固定具
１０              固定片
１１              止具孔
１２              突出片
１３              先端面
１４              フレーム固定片
１６              治具受入空間（空間）
２０              壁パネル下端固定構造
２０Ａ            壁パネル上端固定構造
２１              フレーム
２５              壁パネル
２６              壁パネル下端
２６ａ            前面
２７              壁パネル上端
２７ａ            前面
２８              巾木
２９              廻縁
３８              治具
２                壁面
３                固定対象
４                床（固定対象）
５                天井（固定対象）
６                止具
【図１】
2014055426.tif 000003
【図２】
2014055426.tif 000004
【図３】
2014055426.tif 000005
【図４】
2014055426.tif 000006
【図５】
2014055426.tif 000007
【図６】
2014055426.tif 000008